【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
主制御装置によって制御される特別図柄表示装置と、サブ制御装置によって制御される演出図柄表示装置とを備え、
前記主制御装置は、遊技球が始動口に入球すると当たり外れを抽選し、前記特別図柄表示装置を制御して該抽選の結果を示す特別図柄を確定表示させ、
前記サブ制御装置は、前記主制御装置から送られる前記抽選の結果を示すデータ及び前記特別図柄の疑似演出を行う疑似図柄の変動時間を指定する変動時間データが含まれた表示制御コマンド基づいて前記演出図柄表示装置を制御して疑似図柄の変動表示を行わせる弾球遊技機において、
前記特別図柄は前記抽選毎に必ず前記特別図柄表示装置に確定表示させる一方、
予め設定されている疑似図柄表示実行条件に合致するときに限って、前記演出図柄表示装置による疑似図柄の変動表示を行う
ことを特徴とする弾球遊技機。
【請求項２】
請求項１記載の弾球遊技機において、
前記主制御装置は、抽選毎に前記サブ制御装置に前記表示制御コマンドを送信する構成であり、
前記疑似図柄表示実行条件に合致するか否かの判断は前記サブ制御装置にて行われることを特徴とする弾球遊技機。
【請求項３】
請求項１又は２記載の弾球遊技機において、
前記主制御装置は、疑似図柄によるリーチ演出を行うか否かを決定するリーチ決定手段を備え、
該リーチ決定手段の決定内容を前記表示制御コマンドに含ませて前記サブ制御装置に送信する構成であり、
前記サブ制御装置は、前記抽選の結果が当たりであることを示すデータ又は前記リーチ演出を行う旨の情報が前記表示制御コマンドに含まれているときには前記疑似図柄表示実行条件に合致すると判断する
ことを特徴とする弾球遊技機。
【請求項４】
第１始動口及び第２始動口と、
主制御装置によって制御される第１特別図柄表示装置及び第２特別図柄表示装置と、
サブ制御装置によって制御される演出図柄表示装置と
を備え、
前記主制御装置は、
遊技球が第１始動口に入球すると当たり外れを抽選し（以下、「第１抽選」という。）、前記第１特別図柄表示装置を制御して該第１抽選の結果を示す第１特別図柄を確定表示させ、
遊技球が第２始動口に入球すると、前記第１抽選と同確率で当たり外れを抽選し（以下、「第２抽選」という。）、前記第２特別図柄表示装置を制御して、前記第１抽選の実施から前記第１特別図柄の確定表示までの経過時間よりも短時間で前記第２抽選の結果を示す第２特別図柄を確定表示させる構成であり、
前記サブ制御装置は、前記主制御装置から送られる前記抽選の結果を示すデータ、前記特別図柄の疑似演出を行う疑似図柄の変動時間を指定する変動時間データ及び前記抽選の結果が前記第１抽選によるものなのか前記第２抽選によるものなのかが判別可能なデータが含まれた表示制御コマンドを受信し、前記表示コマンドが前記第１抽選によるものであった場合に限り、受信した前記表示制御コマンドに基づいて前記演出図柄表示装置を制御して前記疑似図柄の変動表示を行わせる
ことを特徴とする弾球遊技機。
【請求項５】
常時入球可能な第１始動口と、
閉鎖時は入球不可能で普通図柄抽選で当たると開放されて入球容易になる第２始動口と、
主制御装置によって制御される第１特別図柄表示装置及び第２特別図柄表示装置と、
サブ制御装置によって制御される演出図柄表示装置と
を備え、
遊技状態には、前記第２始動口の開放時間が基底時間までに制限される通常状態と前記第２始動口の開放時間が基底時間よりも長い延長時間までに制限される開放延長状態とがあり、
前記主制御装置は、
遊技球が第１始動口に入球すると当たり外れを抽選し（以下、「第１抽選」という。）、前記第１特別図柄表示装置を制御して該第１抽選の結果を示す第１特別図柄を確定表示させ、
遊技球が第２始動口に入球すると、前記第１抽選と同確率で当たり外れを抽選し（以下、「第２抽選」という。）、前記第２特別図柄表示装置を制御して前記第２抽選の結果を示す第２特別図柄を確定表示させる構成であり、
前記サブ制御装置は、
前記主制御装置から送られる前記抽選の結果を示すデータ、前記特別図柄の疑似演出を行う疑似図柄の変動時間を指定する変動時間データ及び前記抽選の結果が前記第１抽選によるものなのか前記第２抽選によるものなのかが判別可能なデータが含まれた表示制御コマンドを受信し、
前記通常状態時には、前記表示コマンドが前記第１抽選によるものであった場合に限り、受信した前記表示制御コマンドに基づいて前記演出図柄表示装置を制御して前記疑似図柄の変動表示を行わせ、
前記開放延長状態時には、前記表示コマンドが前記第２抽選によるものであった場合に限り、受信した前記表示制御コマンドに基づいて前記演出図柄表示装置を制御して前記疑似図柄の変動表示を行わせる
ことを特徴とする弾球遊技機。
【請求項６】
常時入球可能な第１始動口と、
閉鎖時は入球不可能で普通図柄抽選で当たると開放されて入球容易になる第２始動口と、
主制御装置によって制御される第１特別図柄表示装置及び第２特別図柄表示装置と、
サブ制御装置によって制御される演出図柄表示装置と
を備え、
遊技状態には、前記第２始動口の開放時間が基底時間までに制限される通常状態と前記第２始動口の開放時間が基底時間よりも長い延長時間までに制限される開放延長状態とがあり、
前記主制御装置は、
遊技球が第１始動口に入球すると当たり外れを抽選し（以下、「第１抽選」という。）、前記第１特別図柄表示装置を制御して該第１抽選の結果を示す第１特別図柄を確定表示させ、
遊技球が第２始動口に入球すると、前記第１抽選と同確率で当たり外れを抽選し（以下、「第２抽選」という。）、前記第２特別図柄表示装置を制御して前記第２抽選の結果を示す第２特別図柄を確定表示させる構成であり、
前記第１抽選又は前記第２抽選を実施すると疑似図柄によるリーチ演出を行うか否かを決定するリーチ決定手段を備えており、
前記サブ制御装置は、
前記主制御装置から送られる前記抽選の結果を示すデータ、前記特別図柄の疑似演出を行う疑似図柄の変動時間を指定する変動時間データ、前記リーチ決定手段の決定結果を判別可能なデータ及び前記抽選の結果が前記第１抽選によるものなのか前記第２抽選によるものなのかが判別可能なデータが含まれた表示制御コマンドを受信し、
前記通常状態時には、前記表示コマンドが前記第１抽選によるものであった場合、受信した前記表示制御コマンドに基づいて前記演出図柄表示装置を制御して前記疑似図柄の変動表示を行わせ、前記表示制御コマンドが前記第２抽選によるものであった場合、前記第２抽選の結果が当たりのとき及び前記リーチ決定手段によりリーチ演出を行うと決定されたときに限って、該受信した表示制御コマンドに基づいて前記演出図柄表示装置を制御して疑似図柄の変動表示を行わせ、
前記開放延長状態時には、前記表示コマンドが前記第２抽選によるものであった場合、受信した前記表示制御コマンドに基づいて前記演出図柄表示装置を制御して前記疑似図柄の変動表示を行わせ、前記表示制御コマンドが前記第１抽選によるものであった場合、前記第１抽選の結果が当たりのとき及び前記リーチ決定手段によりリーチ演出を行うと決定されたときに限って、該受信した表示制御コマンドに基づいて前記演出図柄表示装置を制御して疑似図柄の変動表示を行わせる
ことを特徴とする弾球遊技機。
【請求項７】
請求項４〜６のいずれか記載の弾球遊技機において、
前記主制御装置は、第１特別図柄の変動表示中又は確定表示中は、第２特別図柄の変動表示を行わせず、第２特別図柄の変動表示中又は確定表示中は、第１特別図柄の変動表示を行わせない
ことを特徴とする弾球遊技機。
【手続補正２】
【補正対象書類名】明細書
【補正対象項目名】００１０
【補正方法】変更
【補正の内容】
【００１０】
請求項１に記載の遊技機は、
主制御装置によって制御される特別図柄表示装置と、サブ制御装置によって制御される演出図柄表示装置とを備え、
前記主制御装置は、遊技球が始動口に入球すると当たり外れを抽選し、前記特別図柄表示装置を制御して該抽選の結果を示す特別図柄を確定表示させ、
前記サブ制御装置は、前記主制御装置から送られる前記抽選の結果を示すデータ及び前記特別図柄の疑似演出を行う疑似図柄の変動時間を指定する変動時間データが含まれた表示制御コマンド基づいて前記演出図柄表示装置を制御して疑似図柄の変動表示を行わせる
弾球遊技機において、
前記特別図柄は前記抽選毎に必ず前記特別図柄表示装置に確定表示させる一方、
予め設定されている疑似図柄表示実行条件に合致するときに限って、前記演出図柄表示装置による疑似図柄の変動表示を行う
ことを特徴とする。